(57)【要約】【課題】  粘着テープや接着剤等を用いることなく押し花等の作品を乾燥剤や脱酸素剤と共に収容するための密閉空間を形成することができ、押し花等の作品の交換作業が極めて容易であり、しかも、容易に新しい作品の雰囲気にマッチするように模様替えをすることができる押し花等の飾り額を提供する。【解決手段】  底壁部とその周縁に沿って立設された周壁部とを有する薄型箱状の額本体と、この額本体の表面側を覆って扁平な空間を形成する透明板と、中央部開口の縁枠状に形成され、額本体の周壁部と透明板の周縁部との境界部分を覆う縁枠部材と、額本体の周壁部と透明板の周縁部との間に介装される弾性変形可能なシール部材と、縁枠部材と額本体との間に取り付けられ、額本体に対して透明板を開閉自在に保持すると共にシール部材を介して額本体と透明板との間を密閉する締結手段と、額本体と透明板とで形成される扁平な空間を保存剤収容室と作品収容室とに仕切る仕切盤とを備えている押し花等の飾り額である。【選択図】        図２
2005119088.tif 000002
【特許請求の範囲】
【請求項１】
押し花や押し葉等の作品を観賞用に飾りつけて保存する飾り額であり、
背面側に設けられた底壁部とこの底壁部の周縁に沿って立設された高さの低い周壁部とを有する薄型箱状の額本体と、
この額本体の表面側を覆い、額本体と相俟って扁平な空間を形成する透明板と、
断面略々Ｌ字状の材料で中央部開口の縁枠状に形成され、上記額本体の周壁部と上記透明板の周縁部との境界部分を覆う縁枠部材と、
上記額本体の周壁部と上記透明板の周縁部との間に介装される弾性変形可能なシール部材と、
上記縁枠部材と上記額本体との間に取り付けられ、額本体に対して透明板を開閉自在に保持すると共にシール部材を介して額本体と透明板との間を密閉する締結手段と、
上記額本体と透明板とで形成される扁平な空間を仕切り、額本体の底壁部側に乾燥剤や脱酸素剤等の保存剤を収容する保存剤収容室と透明板側に作品を収容する作品収容室とを形成する仕切盤と
を備えていることを特徴とする押し花等の飾り額。
【請求項２】
額本体の周壁部にはその全周に亘って凹溝条が形成されており、この凹溝条内にシール部材として弾性に富む紐状パッキンが着脱可能に嵌挿されており、締結手段により透明板の周縁部が上記紐状パッキンに圧接して額本体と透明板との間が密閉される請求項１に記載の押し花等の飾り額。
【請求項３】
締結手段は、縁枠部材の少なくとも２箇所の位置に設けられた係合部と、この係合部に対応する額本体の周壁部の外側面に設けられ、上記係合部に係脱可能に係止する係止部とで構成されており、上記係合部と係止部とが係合状態にあるときには上記額本体の周壁部と透明板の周縁部との間でシール部材が圧縮されてこれら額本体と透明板との間を密閉する請求項１又は２に記載の押し花等の飾り額。
【請求項４】
縁枠部材は、透明板の周縁部に固着されている請求項１〜３のいずれかに記載の押し花等の飾り額。
【発明の詳細な説明】
【技術分野】
【０００１】
この発明は、押し花や押し葉等の作品を観賞用に飾りつけて保存する押し花等の飾り額に関する。
【背景技術】
【０００２】
押し花や押し葉等の作品は、乾燥させた花や葉を材料として創られるものであることから、自然環境に放置すると容易にその色調が変化し、また、退色してしまうという問題がある。これは、植物の色素が可視光を吸収して活性化され、空気中の水分や酸素と反応して無色に変化してしまうことに起因している。
【０００３】
そこで、従来においても、このような問題を解決するため、押し花等の作品を乾燥剤や脱酸素剤等と共に密封し、通常は１ヶ月程度で色調が劣化する作品を飾り額としてより長期間に亘って鑑賞できるようにした幾つかの提案が行われている。
【０００４】
例えば、透明なガラス板やアクリル板に押し花等の作品を密着させ、裏面側に乾燥剤や脱酸素剤を配置し、裏面全体をアルミ箔シート等の防湿シートで覆い、辺縁部を粘着テープや接着剤で密封したもの（実開平05-035,395号、特開平08-080,236号、特開平10-119,500号、特開2000-094,895号、特開2001-293,998号、特開2002-248,038号、及び登録実用新案第3,070,714号の各公報参照）、ケース本体と透明蓋体部とで形成される扁平な密閉空間部内に押し花等が載置されるマットと脱酸素剤とを収容するようにしたもの（特開2000-102,466号公報参照）、ガラス板に紫外線カット機能を有するフィルムを貼り付けたもの（登録実用新案第3,000,928号、及び登録実用新案第3,068,042号の各公報参照）等が提案されている。
【０００５】
しかしながら、このような押し花等の作品の色調が劣化するのを防止するために工夫を加えた飾り額についても限界があり、通常は、多くの作品は６ヶ月から１２ヶ月の間に退色してしまい、作品としての価値が失われてしまう。これは、植物の色素が可視光を吸収して活性化されると、たとえ水分や酸素がなくても自己分解してしまうことを示しており、作品の永久保存が困難なことは押し花等の作品の宿命であることを意味している。なお、色調の発現が可視光の吸収によるものである以上、紫外光をカットしてもあまり効果がない。
【０００６】
それ故、押し花等の作品は、その寿命が半年から１年程度であって、退色して寿命が来た場合には交換しなければならなくなる。また、この押し花等の作品は、作品が異なれば雰囲気が全く異なるものとなり、特に季節によっても作品の雰囲気が大きく異なり、使用する飾り額についても作品にマッチした雰囲気のものを選んで使用する必要が生じる。
【０００７】
しかしながら、上述した工夫を加えた飾り額においては、例えば透明なガラス板やアクリル板に接着剤等による汚れが付着し、再利用に耐えない場合が多く、新たに購入しなければならないという経済的負担が生じるほか、作品の交換のたびに煩雑な密封作業が必要になるという問題があった。
【特許文献１】実開平05-035,395号公報
【特許文献２】特開平08-080,236号公報
【特許文献３】特開平10-119,500号
【特許文献４】特開2000-094,895号
【特許文献５】特開2000-102,466号公報
【特許文献６】特開2001-293,998号
【特許文献７】特開2002-248,038号
【特許文献８】登録実用新案第3,070,714号
【特許文献９】登録実用新案第3,000,928号
【特許文献１０】登録実用新案第3,068,042号公報
【発明の開示】
【発明が解決しようとする課題】
【０００８】
そこで、本発明者は、粘着テープや接着剤等を用いることなく押し花等の作品を乾燥剤や脱酸素剤と共に収容するための密閉空間を形成することができ、押し花等の作品の交換作業が極めて容易であり、しかも、容易に新しい作品の雰囲気にマッチするように模様替えをすることができる押し花等の飾り額について鋭意検討した結果、額本体と透明板との間に弾性変形可能なシール部材を介装し、縁枠部材を介して上記額本体と透明板との間を密閉することにより、目的を達成できることを見い出し、本発明を完成した。
【０００９】
従って、本発明の目的は、粘着テープや接着剤等を用いることなく押し花等の作品を乾燥剤や脱酸素剤と共に収容するための密閉空間を形成することができ、押し花等の作品の交換作業が極めて容易であり、しかも、容易に新しい作品の雰囲気にマッチするように模様替えをすることができる押し花等の飾り額を提供することにある。
【課題を解決するための手段】
【００１０】
すなわち、本発明は、押し花や押し葉等の作品を観賞用に飾りつけて保存する飾り額であり、背面側に設けられた底壁部とこの底壁部の周縁に沿って立設された高さの低い周壁部とを有する薄型箱状の額本体と、この額本体の表面側を覆い、額本体と相俟って扁平な空間を形成する透明なガラス製や合成樹脂製の透明板と、断面略々Ｌ字状の材料で中央部開口の縁枠状に形成され、上記額本体の周壁部と上記透明板の周縁部との境界部分を覆う縁枠部材と、上記額本体の周壁部と上記透明板の周縁部との間に介装される弾性変形可能なシール部材と、上記縁枠部材と上記額本体との間に取り付けられ、額本体に対して透明板を開閉自在に保持すると共にシール部材を介して額本体と透明板との間を密閉する締結手段と、上記額本体と透明板とで形成される扁平な空間を仕切り、額本体の底壁部側に乾燥剤や脱酸素剤等の保存剤を収容する保存剤収容室と透明板側に作品を収容する作品収容室とを形成する仕切盤とを備えている押し花等の飾り額である。
【００１１】
本発明において、好ましくは、上記額本体の周壁部にはその全周に亘って凹溝条を形成し、この凹溝条内には弾性変形可能なシール部材として弾性に富む紐状のパッキンを着脱可能に嵌挿し、上記額本体に透明板を配置してこれら額本体と透明板との間を締結手段により固定した際に、透明板の周縁部が上記シール部材に圧接し、これによって額本体と透明板との間が密閉されるように構成するのがよい。シール部材を紐状のパッキンにして凹溝条内に着脱可能に嵌挿することにより、シール部材が経時的に劣化したり、あるいは、何かの原因で損傷したような場合に、このシール部材のみを容易に交換することができる。
【００１２】
ここで、弾性変形可能なシール部材として用いられる弾性に富む紐状のパッキンについては、中実又は中空の有端紐状であっても、また、無端紐状であってもよいが、密閉性をより容易にかつ完全にするためにより好ましくは無端紐状であるのがよく、また、その材質については、通常のゴムやシリコンゴム、所定の弾性を有するプラスチックであってもよい。
【００１３】
また、上記縁枠部材については、断面略々Ｌ字状の材料で中央部開口の縁枠状に形成され、額本体の周壁部と透明板の周縁部との境界部分を覆うことができ、かつ、額本体との間で締結手段を取り付けることができるものであれば、特に制限はないが、飾り額において展示された押し花等の作品の周縁の縁部分を構成するものであって作品の雰囲気とマッチすることが要求される部分であるので、美観に配慮する必要があり、鑑賞する者の目に入る部分（表面部分）に美的処理が施されていたり、あるいは、平面的で単純な形状に形成されて漆紙、千代紙等の装飾用紙や、装飾用布等を容易に着脱可能に貼着できるように表面処理されていてもよく、更には、厚紙等で作られて表面部分を更に覆う装飾枠を着脱可能に取り付けることができるようにしたものでもよい。そして、この縁枠部材については、上記透明板と別体に形成されていてもよく、また、予め一体に形成されていてもよい。
【００１４】
更に、本発明において、締結手段については、縁枠部材と上記額本体との間に取り付けられ、額本体に対して透明板を開閉自在に保持することができると共にシール部材を介して額本体と透明板との間を密閉することができれば、どのような形状、構造及び機構のものであってもよい。
【００１５】
この締結手段としては、例えば、縁枠部材と額本体とを互いにその側縁部の１箇所又は２箇所以上でヒンジ等の連結機構により回動可能に連結すると共に、互いに係脱可能な係合部と係止部とを有する係脱機構を上記の連結機構が設けられた側縁部とは反対側の側縁部に設けたものや、縁枠部材と額本体との間の２箇所以上に互いに所定の間隔を置いて上記係脱機構を設けたもの等を例示することができ、好ましくは、上記係脱機構が係合状態にあるときには上記額本体の周壁部と上記透明板の周縁部との間でシール部材が圧縮され、これによって額本体と透明板との間が密閉されるように構成するのがよい。
【００１６】
更にまた、本発明において、上記額本体と透明板との間には、これら額本体と透明板とで形成される扁平な空間を、額本体の底壁部側に乾燥剤や脱酸素剤等の保存剤を収容する保存剤収容室と透明板側に作品を収容する作品収容室とに仕切る仕切盤が設けられており、この仕切盤については、所望の形状構造を有する保存剤収容室や所望の形状構造を有する作品収容室を形成するために、保存剤収容室に収容する保存剤の形状や数、作品収容室に収容される押し花等の作品の形状や数等に応じて形成することができる。
【発明の効果】
【００１７】
本発明の押し花等の飾り額は、粘着テープや接着剤等を用いることなく押し花等の作品を乾燥剤や脱酸素剤と共に収容するための密閉空間を形成することができ、押し花等の作品の交換作業が極めて容易であり、しかも、容易に新しい作品の雰囲気にマッチするように模様替えをすることができる。
【発明を実施するための最良の形態】
【００１８】
以下、添付図面に示す実施例に基づいて、本発明の好適な実施の形態を具体的に説明する。
【００１９】
〔実施例〕
図１及び図２に、本発明の実施の一例に係る押し花等の飾り額が示されている。
この実施例の飾り額は、その全体が正面から見て長方形状に形成されており、背面側に設けられた底壁部７とこの底壁部７の周縁に沿って立設された高さの低い周壁部８とを有する薄型箱状の額本体１と、この額本体１の表面側を覆い、額本体１と相俟って扁平な空間Ｓを形成する透明なアクリル樹脂製の透明板２と、断面略々Ｌ字状の材料で中央部開口の縁枠状に形成され、上記額本体１の周壁部８と上記透明板２の周縁部2aとの境界部分を覆う縁枠部材３と、上記額本体１の周壁部８と上記透明板２の周縁部2aとの間に介装される無端紐状でゴム製の弾性変形可能な無端紐状のゴム製のパッキン（シール部材）４と、上記縁枠部材３と上記額本体１との間に取り付けられ、額本体１に対して透明板２を開閉自在に保持すると共にパッキン４を介して額本体１と透明板２との間を密閉する締結手段５と、上記額本体１と透明板２とで形成される扁平な空間Ｓを仕切り、額本体１の底壁部７側に乾燥剤や脱酸素剤等の保存剤９を収容する保存剤収容室10と透明板２側に作品Ｗを収容する作品収容室11とを形成する仕切盤６とで構成されている。
【００２０】
この実施例において、上記額本体１は、その全体が合成樹脂の成形体で形成されており、その周壁部８には、その全周に亘って、外面側の比較的高い高さの外壁8aと内面側の比較的低い高さの内壁8bとで形成された凹溝条12が形成されていると共に、その互いに相対向する２辺の内壁面に上記仕切盤６が載置される段部13が形成されており、上記凹溝条12内には、高さが外壁8aより低く、かつ、内壁8bよりは高い上記のパッキン４が着脱可能に嵌挿されている。
【００２１】
また、この実施例において、上記縁枠部材３は、その全体が合成樹脂の成形体で形成されており、額本体１の内側に延びる断面長脚部3aにはその裏面側全周に亘って上記透明板２の周縁部2a表面に当接する突条14が設けられていると共に、正面から目視できるその表面側にはその前面に亘って適当な模様が描かれた装飾紙15が着脱可能に貼着されている。
【００２２】
そして、この実施例において、上記パッキン４を介して額本体１と透明板２との間を密閉する締結手段５は、上記縁枠部材３の断面短脚部3bの４つの各辺中央部に形成された軸受部16に回転軸17を介して回動可能に取り付けられた４つの回転係合腕（係合部）5aと、上記額本体１の周壁部８外壁面の上記回転係合腕5aに対応する位置に突設され、この回転係合腕5aが係止する４つの係止突起（係止部）5bとからなる４つの係脱機構で構成されており、これら各係脱機構の回転係合腕5aを回転させて係止突起5bに係止した係合状態のとき、上記額本体１の周壁部８と上記透明板２の周縁部2aとの間でパッキン４が圧縮され、これによって額本体１と透明板２との間が密閉されるようになっている。
【００２３】
従って、この実施例の押し花等の飾り額によれば、新たな押し花等の作品Ｗを収納して飾り額とする際には、先ず、額本体１の底壁部７側に形成される保存剤収容室10内に乾燥剤や脱酸素剤等の保存剤９を収納し、次いでその上方に仕切盤６を載置し、この仕切盤６の上に作品Ｗを飾り付け、また、額本体１の周壁部８に形成した凹溝条12内にパッキン４を嵌挿し、このパッキン４の上に透明板２を載置し、更に上記額本体１の周壁部８と上記透明板２の周縁部2aとの境界部分を覆うように縁枠部材３を装着し、その後に、縁枠部材３をその上方から押圧してパッキン４を圧縮させた状態で、この縁枠部材３側に設けられた４つの係脱機構の回転係合腕5aをそれぞれ額本体１に設けられた４つの係脱機構の係止突起5b側に回動させて係止せしめればよい。
【００２４】
また、反対に、飾り額内から古くなって退色した押し花等の作品Ｗを取り除く際には、上記と全く逆の操作を行えばよく、また、作品Ｗの交換の際には、好ましくは古い保存剤９を新しいものと交換し、また、必要により、縁枠部材３の表面側に貼着されている装飾紙15についても、作品Ｗの雰囲気にマッチしたものと交換するのがよい。
【産業上の利用可能性】
【００２５】
本発明の押し花等の飾り額は、粘着テープや接着剤等を用いることなく押し花等の作品を乾燥剤や脱酸素剤と共に収容するための密閉空間を形成することができ、押し花等の作品の交換作業が極めて容易であり、しかも、容易に新しい作品の雰囲気にマッチするように模様替えをすることができるので、これまで作品の交換のたびに煩雑な密封作業が必要になったり、再利用に耐えなくて経済的負担が生じるという問題がなく、極めて実用的価値の高いものである。
【図面の簡単な説明】
【００２６】
【図１】図１は、本発明の実施例に係る押し花等の飾り額を示す斜視説明図である。
【図２】図２は、図１の部分断面説明図である。
【符号の説明】
【００２７】
１…額本体、２…透明板、2a…周縁部、３…縁枠部材、3a…断面長脚部、3b…断面短脚部、４…パッキン（シール部材）、５…締結手段、5a…回転係合腕（係合部）、5b…係止突起（係止部）、６…仕切盤、７…底壁部、８…周壁部、8a…外壁、8b…内壁、９…保存剤、10…保存剤収容室、11…作品収容室、12…凹溝条、13…段部、14…突条、15…装飾紙、16…軸受部、17…回転軸、Ｓ…扁平な空間、Ｗ…押し花等の作品。
【図１】
2005119088.tif 000003
【図２】
2005119088.tif 000004